(57)【特許請求の範囲】
【請求項１】
一方側から他方側に向かって穴幅が漸減していく傾斜軸穴を有する円盤状の保持具本体と、
鉄筋を保持具本体へ固定するための柱状のクサビとからなる鉄筋保持具であって、
前記保持具本体の前記傾斜軸穴は、クサビが押し込まれる断面略円弧状の傾斜溝と、該傾斜溝の奥に形成され前記鉄筋を位置決めするための半円溝と、前記鉄筋を傾斜溝内へ入れるための通路とからなり、
前記クサビは、前記傾斜溝の傾斜に対応した傾斜を有し、幅が基端から先端に向かって漸減していく側面と、前記鉄筋を圧接するための溝を長手方向に設けた溝付面とを有することを特徴とする鉄筋保持具。
【請求項２】
前記保持具本体の外周に、平坦面とＵ字溝とを交互に設けた請求項１に記載の鉄筋保持具。
【請求項３】
前記保持具本体は、モルタルまたはコンクリートであり、
前記クサビは、モルタル、コンクリート、または無機質を主体とする硬化性パテであることを特徴とする請求項１または請求項２に記載の鉄筋保持具。
【請求項４】
前記傾斜溝に押し込まれる前記クサビの外周には、水溶性の無機質接着剤が塗布されていることを特徴とする請求項３に記載の鉄筋保持具。
【発明の詳細な説明】
【技術分野】
【０００１】
本発明は、鉄筋工事に使用する鉄筋保持具に関する。
【背景技術】
【０００２】
コンクリート構造物を型枠内で成形する場合、通常、かぶり（コンクリート構造物の表面までのコンクリート厚）を確保するため、鉄筋と型枠との距離を鉄筋保持具で確保している。
【０００３】
特許文献１には、鉄筋抱持具を取り付けた半円板状のモルタル製鉄筋スペーサーが記載されている。
【先行技術文献】
【特許文献】
【０００４】
【特許文献１】実用新案登録第３１０９９４４号公報
【発明の概要】
【発明が解決しようとする課題】
【０００５】
上記特許文献１は、下記の課題を有する。
鉄筋スペーサーの向きによっては、鉄筋抱持具から鉄筋が脱落してしまう。
鉄筋抱持具が腐食する虞がある。
鉄筋スペーサーが半円板状であるので、型枠内面へ鉄筋スペーサーを安定して当接できない。
【０００６】
本発明の目的は、鉄筋を強固に保持でき、鉄筋を保持する向きを自由に設定できる鉄筋保持具の提供にある。
【課題を解決するための手段】
【０００７】
（請求項１について）
鉄筋保持具は、一方側から他方側に向かって穴幅が漸減していく傾斜軸穴を有する円盤状の保持具本体と、鉄筋を保持具本体へ固定するための柱状のクサビとからなる。
傾斜軸穴は、クサビが押し込まれる断面円弧状の傾斜溝と、傾斜溝の奥に形成され鉄筋を位置決めするための半円溝と、鉄筋を傾斜溝内へ入れるための通路とからなる。
クサビは、傾斜溝の傾斜に対応した傾斜角度の傾斜を有し、幅が基端から先端に向かって漸減していく側面と、鉄筋を圧接するための溝を長手方向に設けた溝付面とを有する。  
【０００８】
鉄筋保持具（複数個）を用いた鉄筋工事は、以下の手順で行う。
鉄筋を保持具本体の通路から傾斜溝内へ挿入して半円溝内へ入れ、保持具本体の外周面を型枠内面へ当接させる。
つぎに、傾斜溝の一方側から他方側に向かってクサビを押し込む。
クサビを傾斜溝内へ押し込んでいくと、クサビの側面と傾斜溝との隙間が狭くなっていくのと、溝付面の溝と半円溝との間隔が狭くなっていくので、溝間に挟まれた鉄筋が保持具本体に強固に固定される。
コンクリートを型枠内へ流し込み、固化後、型枠を外す。
【０００９】
鉄筋保持具は、以下の利点を有する。
クサビを傾斜溝内へ押し込むと、クサビおよび鉄筋が保持具本体に強固に固定される。なお、保持具本体が円盤状であるので、型枠内面がどの角度であっても、保持具本体の外周面を型枠内面へ当接させることができるとともに、鉄筋が外れない。
このため、鉄筋を保持具本体で保持する向きを自由に設定できる。
鉄筋を保持具本体に固定するのにクサビを用い、バネ等の金属物を使用していないので、金属物に起因する腐食が発生しない。
【００１０】
（請求項２について）
保持具本体の外周に、平坦面とＵ字溝とを交互に設けているため、平坦面が型枠内面へ当接する。このため、鉄筋保持具を型枠内面へ安定に当接させることができる。
【００１１】
（請求項３について）
保持具本体は、モルタルまたはコンクリートであり、クサビは、モルタル、コンクリート、または無機質を主体とする硬化性パテであるので、型枠内へ流し込むコンクリートと良く馴染み、埋設性に優れる。
【００１２】
（請求項４について）
クサビを押し込んだ後に、強度の振動や衝撃がかかった場合には、稀にクサビが緩むことがある。
この対処法として、傾斜溝に押し込むクサビの外周に水溶性の無機質接着剤（主に珪酸塩化物）を塗布しておくことにより、クサビが保持具本体へ、より一層強固に固定され、クサビの緩みを防止できる。
【図面の簡単な説明】
【００１３】
【図１】本発明の実施例１に係る鉄筋保持具の説明図である。
【図２】その鉄筋保持具のクサビの説明図である。
【図３】（ａ）〜（ｃ）において、左側図列は鉄筋を保持具本体へ固定する鉄筋工事を一方側方向から見た工程図であり、右側図列は鉄筋を保持具本体へ固定する鉄筋工事を鉄筋長手方向から見た工程図である。
【実施例１】
【００１４】
本発明の実施例１（請求項１、２、３に対応）に係る鉄筋保持具Ａを図１〜図３に基づいて説明する。
鉄筋保持具Ａは、一方側から他方側に向かって穴幅が漸減していく傾斜軸穴１を有する円盤状の保持具本体２（モルタル製）と、鉄筋３を保持具本体２へ固定するための柱状のクサビ４（モルタル製）とからなる。
【００１５】
保持具本体２の傾斜軸穴１は、クサビ４が押し込まれる断面略円弧状の傾斜溝１１と、傾斜溝１１の奥に形成され鉄筋３を位置決めするための半円溝１２と、鉄筋３を傾斜溝１１内へ入れるための通路１３とからなる。
保持具本体２は、外周に、平坦面１４とＵ字溝１５とを交互に設けている。
【００１６】
クサビ４は、傾斜溝１１の傾斜に対応した傾斜を有し、幅が基端から先端に向かって漸減していく側面４１、４２と、鉄筋３を圧接するための溝４３を長手方向に設けた溝付面４４と、通路１３−傾斜溝１１との境を塞ぐ端面４５と、台形状の先端面４６と、先端面４６より大きい台形状の基端面４７とを有する。
【００１７】
鉄筋保持具Ａを用いた鉄筋工事は、以下の手順を行う。
鉄筋３を保持具本体２の通路１３から傾斜溝１１内へ挿入して半円溝１２内へ入れ、保持具本体２の何れかの平坦面１４を型枠内面（図示せず）へ当接させる｛図３の（ａ）参照｝。
【００１８】
つぎに、傾斜溝１１の一方側（図示右方）から他方側（図示左方）に向かって、クサビ４を木槌等で叩いて押し込む｛図３の（ｂ）参照｝。
クサビ４を傾斜溝１１内へ押し込んでいくと、クサビ４の側面４１、４２と傾斜溝１１との隙間が狭くなっていくのでクサビ４が保持具本体２に強固に固定され、溝付面４４の溝４３と半円溝１２との間隔も狭くなっていくので溝間に挟まれた鉄筋３が保持具本体２に強固に固定される｛図３の（ｃ）参照｝。
コンクリートを型枠内へ流し込み、固化後、型枠を外す。
【００１９】
鉄筋保持具Ａは、以下の利点を有する。
クサビ４を傾斜溝１１内へ押し込むと、クサビ４および鉄筋３が保持具本体２に強固に固定される。なお、保持具本体２が円盤状であるので、型枠内面がどの角度であっても、保持具本体２の平坦面１４を型枠内面へ当接させることができるとともに、鉄筋３が外れない。
【００２０】
このため、鉄筋３を保持具本体２で保持する向きを自由に設定できる。
鉄筋３を保持具本体２に固定するのにクサビ４を用い、バネ等の金属物を使用していないので、金属物に起因する腐食が発生しない。
【００２１】
保持具本体２の外周に、平坦面１４とＵ字溝１５とを交互に設けているため、平坦面１４が型枠内面へ当接する。このため、鉄筋保持具Ａを型枠内面へ安定に当接させることができる。
【００２２】
保持具本体２およびクサビ４は、モルタルであるので、型枠内へ流し込むコンクリートと良く馴染み、埋設性に優れる。
【００２３】
（変形例）
ａ．クサビは、モルタルやコンクリート以外に、無機質を主体とする硬化性パテであっても良い（請求項３に対応）。
ｂ．傾斜溝に押し込むクサビの外周に、水溶性の無機質接着剤（主に珪酸塩化物）を塗布しておいても良い。こうすれば、クサビが保持具本体へ、より一層強固に固定され、クサビの緩みを防止できる（請求項４に対応）。
【産業上の利用可能性】
【００２４】
本発明の鉄筋保持具を用いれば、鉄筋を強固に保持でき、鉄筋を保持する向きを自由に設定できる。
【符号の説明】
【００２５】
Ａ  鉄筋保持具
１  傾斜軸穴
２  保持具本体
４  クサビ
１１  傾斜溝
１２  半円溝
１３  通路
１４  平坦面
１５  Ｕ字溝
【図１】
0005542590.tif 000002
【図２】
0005542590.tif 000003
【図３】
0005542590.tif 000004